(57)【要約】【課題】無線通信システムにおける基地局により共通制御情報を送信する方法及び装置を提供する。【解決手段】基地局は、第１のシステムと、第１のシステムとは異なる第２のシステムとが無線通信システムに共存するか否かを判定する。無線通信システムが共存システムである場合に、基地局は、リソースが第１のシステムのために占有されたダウンリンクサブフレームでの第１の情報要素を介して第１のシステム及び第２のシステムの共存に関する情報と、第２のシステムのための共通制御情報が送信されることができるリソース割当領域の位置及びサイズ情報と、リソース割当領域のデコーディングに必要とされる情報とを示す。基地局は、共通制御情報が送信されることができるリソース割当領域で第２のシステムの共通制御情報を送信する。【選択図】図７
2008289152.tif 000002
【特許請求の範囲】
【請求項１】
無線通信システムにおける基地局が共通制御情報を送信する方法であって、
第１のシステムと、前記第１のシステムとは異なる第２のシステムとが無線通信システムに共存するか否かを判定するステップと、
前記無線通信システムが共存システムである場合に、リソースが前記第１のシステムのために占有されたダウンリンクサブフレームでの第１の情報要素を介して、前記第１のシステム及び前記第２のシステムの共存に関する情報と、前記第２のシステムのための共通制御情報が送信されることができるリソース割当領域の位置及びサイズ情報と、前記リソース割当領域のデコーディングに必要とされる情報と、を示すステップと、
前記共通制御情報が送信されることができるリソース割当領域で前記第２のシステムの共通制御情報を送信するステップと、
を含むことを特徴とする方法。
【請求項２】
前記共通制御情報が送信されるリソース割当領域は、 ダウンリンクサブフレームの最後のシンボルに基づいて所定のサイズ及び位置を有することを特徴とする請求項１に記載の方法。
【請求項３】
ダウンリンクリソースの最後のシンボルに対応する位置で、ダウンリンクに対するアップリンクのリソース比率情報を送信するステップをさらに含むことを特徴とする請求項２に記載の方法。
【請求項４】
前記共通制御情報が送信されるリソース割当領域は、前記無線通信システムで使用される帯域幅に従って可変的に決定されることができるアップリンクサブフレームに対するダウンリンクサブフレームのシンボル比率の中で、アップリンクサブフレームに対する最小のダウンリンクサブフレームシンボルの個数を有するダウンリンクサブフレームのシンボル比率に基づいた、最後のシンボルに対応する領域であることを特徴とする請求項１に記載の方法。
【請求項５】
前記ダウンリンクサブフレームのシンボル個数が前記帯域幅に従って最小Ｎ個から最大Ｍ個まで可変する場合に、前記共通制御情報が送信されるリソース割当領域は、Ｎ番目のシンボルに基づいて所定のサイズ及び位置を有することを特徴とする請求項４に記載の方法。
【請求項６】
前記無線通信システムが共存システムである場合に、前記第１のシステムのフレーム制御ヘッダー（ＦＣＨ）の全ビットの中で、前記第１のシステムで使用されないビットを用いて前記共存システムの存在を示すビット値を設定するステップをさらに含むことを特徴とする請求項１に記載の方法。
【請求項７】
前記ビット値は、前記共通制御情報が送信されるシンボルの位置を示すことを特徴とする請求項６に記載の方法。
【請求項８】
前記無線通信システムが共存システムではなく、前記第１のシステムから進化した前記第２のシステムだけが存在する無線通信システムである場合に、前記共通制御情報が送信されることができるリソース割当領域を所定の位置に設定するステップをさらに含むことを特徴とする請求項１に記載の方法。
【請求項９】
前記所定の位置をプリアンブル後の１番目のシンボル、ダウンリンクサブフレームの最後のシンボル、及びダウンリンクサブフレームでの特定のシンボルのうちのいずれか１つの位置として設定するステップと、
前記設定されたシンボル位置を介して前記第２のシステムの共通制御情報を送信するステップと、
をさらに含むことを特徴とする請求項８に記載の方法。
【請求項１０】
前記第２のシステムの全移動局に共通して割り当てられるグループ識別子（ＩＤ）を使用して、前記第１のシステムの共通制御情報に基づいて、前記第２のシステムの共通制御チャンネルを割り当てることを特徴とする請求項１に記載の方法。
【請求項１１】
前記第１のシステムの共通制御情報がＭＡＰであり、前記第２のシステムの全移動局に割り当てられるグループＩＤが、前記第１のシステムの移動局との接続を識別するために使用される接続識別子（ＣＩＤ）であることを特徴とする請求項１０に記載の方法。
【請求項１２】
無線通信システムにおける移動局が共通制御情報を受信する方法であって、
基地局から送信されたフレーム構成に関する情報をデコーディングするステップと、
前記無線通信システムが、第１のシステムと、前記第１のシステムとは異なる第２のシステムとが共存する共存システムであるか否かを判定するステップと、
前記無線通信システムが共存システムである場合に、前記第１のシステムのための共通制御情報をデコーディングするステップと、
前記共通制御情報のデコーディング結果に従って、前記第２のシステムのための共通制御情報が送信される位置及びサイズに関する情報と、前記共通制御情報のデコーディングに必要とされる情報と、を取得するステップと、
前記取得された情報を用いて前記第２のシステムのための共通制御情報をデコーディングするステップと、
を含むことを特徴とする方法。
【請求項１３】
前記第２のシステムの共通制御情報のデコーディング結果に従って、前記第２のシステムの移動局のためのリソース割当情報を取得するステップと、
前記移動局に割り当てられたリソースが存在すると、対応するリソースをデコーディングするステップと、をさらに含むことを特徴とする請求項１２に記載の方法。
【請求項１４】
ダウンリンクリソース比率情報を受信してデコーディングするステップと、
前記デコーディング結果に従って、ダウンリンクサブフレームの最後のシンボルに関する情報を取得するステップと、
前記ダウンリンクサブフレームの最後のシンボルに基づいて所定のサイズ及び位置を有する前記第２のシステムの共通制御情報をデコーディングするステップと、をさらに含むことを特徴とする請求項１２に記載の方法。
【請求項１５】
前記共通制御情報は、前記無線通信システムで使用される帯域幅に従って可変的に決定されることができるアップリンクサブフレームに対するダウンリンクサブフレームのシンボル比率の中で、前記アップリンクサブフレームに対する最小のダウンリンクサブフレームシンボルの個数を有する前記ダウンリンクサブフレームのシンボル比率での最後のシンボルに基づいて所定のサイズ及び位置を有することを特徴とする請求項１２に記載の方法。
【請求項１６】
前記フレーム構成に関する情報は、前記第１のシステムと前記第２のシステムとの共存を示す情報を含み、前記第１のシステムのフレーム制御ヘッダー（ＦＣＨ）の中で、前記第１のシステムで使用されないビットの中の一部のビットを用いて前記基地局から送信されることを特徴とする請求項１２に記載の方法。
【請求項１７】
前記フレーム構成に関する情報は、前記第１のシステムと前記第２のシステムとの共存を示す情報を含み、前記フレーム構成に関する情報に対応するプリアンブルを用いて前記基地局から送信されることを特徴とする請求項１２に記載の方法。
【請求項１８】
前記無線通信システムが共存システムではなく、前記第１のシステムから進化した前記第２のシステムだけが存在する無線通信システムである場合に、所定のサイズのリソースを用いて所定の位置で送信される共通制御情報をデコーディングするステップと、
前記共通制御情報のデコーディング結果に従って、前記第２のシステムのためのマップ（ＭＡＰ）をデコーディングするステップと、
前記第２のシステムのためのＭＡＰのデコーディング結果に従って、前記移動局に割り当てられたデータバーストをデコーディングするステップと、をさらに含むことを特徴とする請求項１２に記載の方法。
【請求項１９】
前記所定の位置は、プリアンブル後の１番目のシンボル、ダウンリンクサブフレームの最後のシンボル、及び前記ダウンリンクサブフレームでの特定のシンボルの中のいずれか１つのシンボルに対応することを特徴とする請求項１８に記載の方法。
【請求項２０】
前記第１のシステムのフレーム制御ヘッダーの中で、前記第１のシステムで使用されない予約ビットのデコーディングを介して、アップリンクサブフレームに対するダウンリンクサブフレームのシンボル比率情報を取得するステップをさらに含むことを特徴とする請求項１２に記載の方法。
【請求項２１】
前記第１のシステムのための共通制御情報をデコーディングする間に、前記第２のシステムの移動局に割り当てられたグループ接続識別子（ＣＩＤ）に対応するリソース割当情報を取得するステップと、
前記取得されたリソース割当情報で指定された位置で送信される前記第２のシステムの共通制御チャンネル情報をデコーディングするステップと、
前記第２のシステムのマップ（ＭＡＰ）メッセージを介して各移動局に固有に割り当てられたＣＩＤに割り当てられるリソース割当情報を取得し、対応するリソースをデコーディングするステップと、
を含むことを特徴とする請求項１２に記載の方法。
【請求項２２】
無線通信システムであって、
移動局と、
基地局とを含み、
前記基地局は、第１のシステムと、前記第１のシステムとは異なる第２のシステムとが無線通信システムに共存するか否かを判定し、前記無線通信システムが共存システムである場合に、リソースが前記第１のシステムのために占有されたダウンリンクサブフレームでの第１の情報要素を介して、前記第１のシステムと前記第２のシステムとの共存に関する情報と、前記第２のシステムのための共通制御情報が送信されることができるリソース割当領域の位置及びサイズ情報と、前記リソース割当領域のデコーディングに必要とされる情報とを示し、前記共通制御情報が送信されることができるリソース割当領域で前記第２のシステムの共通制御情報を送信し、
前記移動局は、前記基地局から送信されるフレーム構成に関する情報をデコーディングし、前記無線通信システムが前記第１のシステムと前記第１のシステムとは異なる前記第２のシステムとが共存する共存システムであるか否かを判定し、前記無線通信システムが共存システムである場合に、前記第１のシステムのための共通制御情報をデコーディングし、前記共通制御情報のデコーディング結果に従って、前記第２のシステムのための共通制御情報が送信される位置及びサイズに関する情報と、前記共通制御情報のデコーディングに必要とされる情報を取得し、該取得された情報を用いて前記第２のシステムのための共通制御情報をデコーディングすることを特徴とする無線通信システム。
【請求項２３】
前記共通制御情報が送信されるリソース割当領域は、前記占有されたダウンリンクサブフレームの最後のシンボルに基づいた所定のサイズ及び位置を有することを特徴とする請求項２２に記載の無線通信システム。
【請求項２４】
前記基地局は、ダウンリンクリソースの最後のシンボルに対応する位置で、ダウンリンクに対するアップリンクのリソース比率情報を送信することを特徴とする請求項２２に記載の無線通信システム。
【請求項２５】
前記共通制御情報が送信されるリソース割当領域は、前記無線通信システムで使用される帯域幅に従って可変的に決定されることができるアップリンクサブフレームに対するダウンリンクサブフレームのシンボル比率の中で、前記アップリンクサブフレームに対する最小のダウンリンクサブフレームシンボルの個数を有するダウンリンクサブフレームのシンボル比率での最後のシンボルに対応する領域であることを特徴とする請求項２２に記載の無線通信システム。
【請求項２６】
前記ダウンリンクサブフレームのシンボル個数が前記帯域幅に従ってＮ個からＭ個まで可変する場合に、前記共通制御情報が送信されるリソース割当領域は、Ｎ番目のシンボルに基づいて所定のサイズ及び位置を有することを特徴とする請求項２５に記載の無線通信システム。
【請求項２７】
前記無線通信システムが共存システムである場合に、前記基地局は、フレーム制御ヘッダー（ＦＣＨ）に前記共存システムの存在を示すビット値を設定することを特徴とする請求項２２に記載の無線通信システム。
【請求項２８】
前記ビット値は、前記共通制御情報が送信されるシンボルの位置を示すことを特徴とする請求項２７に記載の無線通信システム。
【請求項２９】
前記無線通信システムが共存システムではなく、前記第１のシステムから進化した前記第２のシステムだけが存在する無線通信システムである場合に、前記基地局は、前記共通制御情報が送信されることができるリソース割当領域を、プリアンブル後の１番目のシンボル、ダウンリンクサブフレームの最後のシンボル、及び前記ダウンリンクサブフレームでの特定のシンボル位置の内のいずれか１つの位置に設定し、該設定されたリソース割当領域を介して前記第２のシステムの共通制御情報を送信することを特徴とする請求項２２に記載の無線通信システム。
【請求項３０】
前記基地局は、前記第２のシステムの全ての移動局に共通して割り当てられるグループ識別子（ＩＤ）を使用して、前記第１のシステムの共通制御情報に基づいて前記第２のシステムの共通制御チャンネルの位置を割り当てることを特徴とする請求項２２に記載の無線通信システム。
【請求項３１】
前記第１のシステムの共通制御情報がＭＡＰであり、前記第２のシステムの全移動局に割り当てられるグループＩＤは、前記第１のシステムの移動局との接続を識別するために使用される接続識別子（ＣＩＤ）であることを特徴とする請求項３０に記載の無線通信システム。
【発明の詳細な説明】
【技術分野】
【０００１】
本発明は、無線通信システムに関し、特に、無線通信システムにおける共通制御情報を送受信するシステム及び方法に関する。
【背景技術】
【０００２】
現在、無線通信システムは、ブロードキャスティングサービス、マルチメディア映像サービス、及びマルチメディアメッセージングサービスなどのような様々なサービスをサポートするように発展している。特に、第４世代の無線通信システムは、音声及びパケットデータ通信における高速の移動端末ユーザーに１００Ｍｂｐｓ以上のデータ送信速度を提供し、低速の移動端末ユーザーに１Ｇｂｐｓ以上のデータサービスを提供するために開発されている。
【０００３】
上述したように、無線通信システムは、既存の通信システムから進化した通信システムに発展している。ここで、既存の通信システムは、“レガシー（legacy）通信システム”と呼ばれ、発展した（evolved）通信システムは、“進化した（new）通信システム”と呼ばれる。
【０００４】
上記進化した通信システムは、上記レガシー通信システムで使用されない進化した（evolved）技術を導入しようとする。上記進化した技術は、マルチアンテナ技術、インターネットプロトコルバージョン６（Internet Protocol version 6：ＩＰｖ６）技術、及びマルチキャスト／ブロードキャストサービス（multicast/broadcast service）技術などを含む。通信システムの技術の発展とともに、レガシー通信システムと進化した通信システムとが１つの通信システムに共存する場合が発生する可能性がある。また、このような通信システムが発展し続ける場合に、最終的には、進化した通信システムがレガシー通信システムに取って代わり得る。
【０００５】
２つの通信システムが共存する状況において、レガシー通信システムのユーザー及び進化した通信システムのユーザーのために、かかる２つの通信システムは、相互に連動しなければならない。また、レガシー通信システムが進化した通信システムに置き換えられる場合には、これを支援するための新たな技術的な方式が定義されなければならない。その理由は、上記レガシー通信システム及び上記進化した通信システムは、相互に異なるチャンネル構成及び／又は相互に異なる信号構成を有することができるためである。
【０００６】
一方、２つの通信システムの両方で重要に取り扱われるべき事項は、共通制御情報の送受信である。かかる共通制御情報は、システムに存在している全ての移動局が受信すべき重要な情報である。したがって、レガシー通信システムと進化した通信システムとを共存させる場合には、共通制御情報の送受信方式が定義されなければならない。また、レガシー通信システムが進化した通信システムに置き換えられる場合であっても、共通制御情報の送受信方式が新たに定義されなければならない。
【特許文献１】韓国特許公開２００７−０１１７８１２号明細書
【発明の開示】
【発明が解決しようとする課題】
【０００７】
本発明は、上述のような背景に鑑みてなされたものであり、その目的は、無線通信システムの発展により必要となる、共通制御情報を送受信するシステム及び方法を提供することにある。
【課題を解決するための手段】
【０００８】
上記目的を達成するために、本発明の一態様によれば、無線通信システムにおける基地局が共通制御情報を送信する方法を提供する。かかる送信方法は、第１のシステムと、前記第１のシステムとは異なる第２のシステムとが無線通信システムに共存するか否かを判定するステップと、前記無線通信システムが共存システムである場合に、リソースが前記第１のシステムのために占有されたダウンリンクサブフレームでの第１の情報要素を介して、前記第１のシステム及び前記第２のシステムの共存に関する情報と、前記第２のシステムのための共通制御情報が送信されることができるリソース割当領域の位置及びサイズ情報と、前記リソース割当領域のデコーディングに必要とされる情報を示すステップと、前記共通制御情報が送信されることができるリソース割当領域で前記第２のシステムの共通制御情報を送信するステップと、を含むことを特徴とする。
【０００９】
本発明の他の態様によれば、無線通信システムにおける移動局が共通制御情報を受信する方法を提供する。かかる受信方法は、基地局から送信されたフレーム構成に関する情報をデコーディングするステップと、前記無線通信システムが、第１のシステムと、前記第１のシステムとは異なる第２のシステムとが共存する共存システムであるか否かを判定するステップと、前記無線通信システムが共存システムである場合に、前記第１のシステムのための共通制御情報をデコーディングするステップと、前記共通制御情報のデコーディング結果に従って、前記第２のシステムのための共通制御情報が送信される位置及びサイズに関する情報と、前記共通制御情報のデコーディングに必要とされる情報と、を取得するステップと、前記取得された情報を用いて前記第２のシステムのための共通制御情報をデコーディングするステップと、を含むことを特徴とする。
【００１０】
本発明のさらなる他の態様によれば、移動局と基地局とを含む無線通信システムを提供する。前記基地局は、第１のシステムと、前記第１のシステムとは異なる第２のシステムとが無線通信システムで共存するか否かを判定する。前記無線通信システムが共存システムである場合に、基地局は、リソースが前記第１のシステムのために占有されたダウンリンクサブフレームでの第１の情報要素を介して、前記第１のシステムと前記第２のシステムとの共存に関する情報と、前記第２のシステムのための共通制御情報が送信されることができるリソース割当領域の位置及びサイズ情報と、前記リソース割当領域のデコーディングに必要とされる情報とを示す。基地局は、前記共通制御情報が送信されることができるリソース割当領域で前記第２のシステムの共通制御情報を送信する。前記移動局は、前記基地局から送信されるフレーム構成に関する情報をデコーディングし、前記無線通信システムが前記第１のシステムと前記第１のシステムとは異なる前記第２のシステムとが共存する共存システムであるか否かを判定し、前記無線通信システムが共存システムである場合に、前記第１のシステムのための共通制御情報をデコーディングし、前記共通制御情報のデコーディング結果に従って、前記第２のシステムのための共通制御情報が送信される位置及びサイズに関する情報と、前記共通制御情報のデコーディングに必要とされる情報とを取得し、該取得された情報を用いて前記第２のシステムのための共通制御情報をデコーディングすることを特徴とする。
【発明の効果】
【００１１】
本発明は、無線通信システムにおいて、アップリンクサブフレームに対するダウンリンクサブフレームの比率を可変的に決定し、既存の通信システムが進化した通信システムに置き換えられる場合に、共通制御情報を送信するシステム及び方法を提供し、これにより、ユーザーにより良い通信サービスを提供することを可能にする。
【発明を実施するための最良の形態】
【００１２】
以下、本発明の好適な実施形態を、添付図面を参照しつつ詳細に説明する。下記の説明において、明瞭性と簡潔性の観点から、当業者に良く知られている機能や構成に関する具体的な説明は、省略する。
【００１３】
本発明は、無線通信システムにおける共通制御情報（common control information）を送受信するシステム及び方法を提供する。ここで、無線通信システムは、既存の通信システム（以下、“レガシー（legacy）通信システム”と称する。）と、レガシー通信システムから発展した進化した通信システム（以下、“進化した（new）通信システム”と称する。）とが共存するシステムであるか、又はレガシー通信システムが進化した通信システムに置き換えられるシステムであることができる。一方、ここで使用される“共通制御情報”は、レガシー通信システムで使用されたフレーム制御ヘッダー（Frame Control Header：ＦＣＨ）及びＭＡＰに含まれている情報と、新たに提案された進化した通信システムのブロードキャストチャンネル（Broadcasting Channel：以下、“ＢＣＨ”と称する。）に含まれている情報の全てを意味する。
【００１４】
上記共存システムの場合に、レガシー通信システム及び進化した通信システムは、相互に時間又は周波数で区別されることができる。同様に、ダウンリンクは、時間により区分されることができ、アップリンクは、周波数により区分されることができ、或いはこの逆、すなわちダウンリンクが周波数により区分され、アップリンクが時間により区分されることもできる。図１Ａ及び図１Ｂを参照して、かかる共存システムで使用可能なフレーム構成について説明する。
【００１５】
図１Ａ及び図１Ｂは、時分割多重化（Time Division Multiplexing：ＴＤＭ）及び周波数分割多重化（Frequency Division Multiplexing：ＦＤＭ）基盤のフレーム構成をそれぞれ示す図である。
【００１６】
図１Ａを参照すると、フレームは、レガシー通信システム及び進化した通信システムで共通に使用されるプリアンブル（preamble）と、レガシー通信システムを進化した通信システムと時間で区別するダウンリンク（downlink：ＤＬ）サブフレーム及びアップリンク（uplink：ＵＬ）サブフレームと、を含む。ダウンリンクサブフレームは、時間遷移ギャップ（Time Transition Gap：ＴＴＧ）により、アップリンクサブフレームと区別される。ダウンリンクサブフレーム１１０及びアップリンクサブフレーム１２０で進化した通信システムが使用するリソースに対するレガシー通信システムが使用するリソースの比率は、対応するシステムを使用する移動局の数、及び／又は他の様々な要素に基づいて、初期のシステム実現の間に固定して決定されることができ、又はシステム動作の間に可変的に決定されることができる。また、アップリンクサブフレーム１２０に対するダウンリンクサブフレーム１１０のリソース比率は、対応するシステムを使用する移動局の数、及び／又は他の様々な要素に基づいて、初期のシステム実現の間に固定して決定されることができ、又はシステム動作の間に可変的に決定されることができる。
【００１７】
図１Ｂでのフレームは、図１Ａのフレームと類似した構成を有するが、レガシー通信システムが進化した通信システムと周波数により区別される点で異なる。
【００１８】
図２は、本発明の実施形態による共存システムのために新たに提案される進化したシステムのＢＣＨを含むフレーム構成を示す図である。
【００１９】
図２を参照して、本発明による進化したシステムのＢＣＨデコーディング情報を送信する１番目の方法について説明する。図２を参照すると、フレームは、ＦＣＨ２０１と、レガシーマップ（ＭＡＰ）と、ＭＡＰ_ＩＥ２０５と、ＢＣＨ２０７と、を含む。
【００２０】
移動局は、ＦＣＨデコーディング結果を用いて、レガシーＭＡＰをデコーディングすることにより、自身（自機）に対応するデータバーストの位置及びサイズを認識する。
【００２１】
進化した通信システムを使用する移動局は、プリアンブルを介して基地局と同期を取得し、ＦＣＨ２０１をデコーディングする。基地局は、レガシーシステムで使用されないＦＣＨの予約ビット（reserved bit）の中の一部のビットを用いて、対応するフレームがレガシー通信システムだけのためのフレームであるか、共存システムのためのフレームであるか、又は進化した通信システムだけのためのフレームであるかを示す情報を送信する。そして、移動局は、対応するＦＣＨの予約ビット値に基づいて、対応するフレームがレガシー通信システムだけのためのフレームであるか、共存システムのためのフレームであるか、又は進化した通信システムだけのためのフレームであるかを認識する。ここでは、ＦＣＨの予約ビットを用いてレガシー／進化したシステム共存情報を送信する方式について説明したが、相互に異なる種類のプリアンブルを送信することにより、対応する情報を送信する方法を考慮することもできる。
【００２２】
図２に示すように、共存システムにおいて、移動局は、予め割り当てられたグループ接続識別子（Group Connection Identifier：以下、“ＧＣＩＤ”と称する。）に対応するＭＡＰ情報要素（Information Element：以下、“ＭＡＰ ＩＥ”と称する。）が存在するか否かを判定する。ここで、ＧＣＩＤは、レガシー通信システムを使用する移動局に割り当てられることができるＣＩＤらの中の任意のＣＩＤであり、基地局と進化した通信システムとの間で予め定義されたＣＩＤである。基地局は、対応するＣＩＤをレガシー移動局に割り当てないことによりＧＣＩＤを確保可能であり、ＧＣＩＤは、進化した通信システムを使用する移動局を区別するために使用される。例えば、進化した通信システムを用いる移動局は、‘１０１０１０１０１０１０１０'の任意のＣＩＤを、基地局に関係なく同一のＧＣＩＤとして割当を受けることができる。また、基地局は、複数のＣＩＤを進化した通信システム用の移動局のＧＣＩＤとして確保した後に、基地局別に異なるＣＩＤを移動局に割り当てることができる。この場合に、プリアンブルを介して送信される基地局ＩＤ情報とＧＣＩＤとの間には、対応関係（mapping relation）があり得る。
【００２３】
対応するＧＣＩＤに割り当てられたＭＡＰ_ＩＥ２０５が存在する場合に、移動局は、当該ＭＡＰ ＩＥ２０５に含まれた情報を用いてＢＣＨ２０７の位置及びデコーディング情報を取得し、当該取得された情報に基づいてＢＣＨ２０７をデコーディングする。ＢＣＨ２０７は、進化した通信システムのためのフレーム構成情報を含み、デコーディング情報は、変調及び符号化方式（Modulation and Coding Scheme：ＭＣＳ）レベル情報、パケット長情報、多入力多出力（Multiple-Input Multiple-Output：ＭＩＭＯ）モード情報、Ｈ-ＡＲＱ関連情報、などを含む。ＢＣＨ２０７は、システムで予め定められたＭＣＳレベル及びパケット長を適用することにより生成されることができる。
【００２４】
レガシーシステム及び進化システムの共存システムにおいて、進化システムのＢＣＨの位置情報を送信するための２番目の方法として、ダウンリンクサブフレーム領域の最後のシンボルにＢＣＨを位置させる方法がある。この場合に考慮されるべき事項は、フレームで占めるアップリンクサブフレームに対するダウンリンクサブフレームの比率が可変的であるということである。例えば、モバイルワイマックス（Mobile WiMAX）プロフィール（profile）８．７５ＭＨｚ帯域幅を有するシステムにおいて、アップリンクサブフレームに対するダウンリンクサブフレームの比率は、１シンボルの単位でＤＬ：ＵＬ＝３０：１２〜２４：１８まで変更可能である。ＢＣＨの送信位置が上述した通りにＤＬ領域の最後のシンボルであると仮定し、共存システムのＤＬ／ＵＬ比率が２つのシンボル単位で変更可能であると仮定すると、ＢＣＨの位置は、２４番目、２６番目、２８番目、及び３０番目のシンボルであることができる。
【００２５】
したがって、基地局は、このような様々な場合に関する情報を移動局に提供しなければならない。ＤＬ：ＵＬ比率に関する情報を進化システムの移動局に提供する方法には、ＦＣＨを使用する方法がある。下記＜表１＞は、従来のＦＣＨフォーマットを示す。
【００２６】
【表１】
2008289152.tif 000003
【００２７】
＜表１＞に示すように、ＦＣＨは、合計で５ビットの予約ビットを有し、ここでは、５ビットの予約ビットのうちの４ビットが使用される。したがって、基地局は、かかる４ビットの予約ビットの中の２ビットを使用してＢＣＨ位置及びＤＬ／ＵＬ比率情報を移動局に提供することができる。例えば、移動局がＦＣＨをデコーディングした結果、ＢＣＨ位置及びＤＬ／ＵＬ比率情報を示すフィールドに記録された値が‘００’であると仮定する。この‘００’値は、ＢＣＨが２４番目のシンボルに位置し、ＤＬ：ＵＬ比率が２４：１８であることを知らせる値である。この場合に、レガシー通信システム、共存システム、及び進化した通信システムの情報に関しては、プリアンブルの種類をレガシー通信システム、共存システム、及び進化した通信システムの用途に分類し、対応するシステムと関連したプリアンブルを使用することにより、移動局は、フレームがどのシステムに対応するフレームであるかを判定することができる。他の方案として、移動局は、個別の情報受信なしに、所定の位置でＢＣＨデコーディングの成功／失敗に従ってフレームを認識することもできる。
【００２８】
一方、ＦＣＨの４ビットの予約ビットの中の３ビットを使用して、ＢＣＨ位置及びＤＬ／ＵＬ比率情報の他に対応するフレームがレガシー通信システムだけのためのものであるか、共存システムのためのものであるか、又は進化した通信システムだけのためのものであるかを一度に示すこともできる。例えば、‘０００'は、対応するフレームがレガシー通信システムだけのためのフレームであり、この際のＢＣＨは、存在しないことを意味する。‘００１'は、対応するフレームが共存システムのためのフレームであり、この際のＢＣＨは、２４番目のシンボルに位置することを意味する。‘０１０'は、対応するフレームが共存システムのためのフレームであり、この際のＢＣＨは、２６番目のシンボルに位置することを意味する。‘０１１'は、対応するフレームが共存システムのためのフレームであり、この際のＢＣＨは、２８番目のシンボルに位置することを意味する。‘１００'は、対応するフレームが共存システムのためのフレームであり、この際のＢＣＨは、３０番目のシンボルに位置することを意味する。‘１０１'は、対応するフレームが進化した通信システムだけのためのフレームであり、この際のＢＣＨは、ダウンリンクサブフレームのプリアンブルに対応するシンボル後の１番目のシンボルに位置することを意味する。進化した通信システムだけのためのフレーム構成でのＢＣＨの位置については、図４乃至図６を参照して詳細に説明する。
【００２９】
上述したようなＢＣＨ位置情報送信方法を使用すると、ダウンリンクサブフレームとアップリンクサブフレームとの間の比率変更、及びレガシー通信システムと進化した通信システムとの間の比率変更を容易にすることができる。また、進化した通信システムを使用する移動局は、上述した１番目の方式のように、レガシーＭＡＰをデコーディングする必要がない。
【００３０】
３番目のＢＣＨ決定方法として、ＤＬ／ＵＬ変更可能範囲を考慮して特定のシンボルにＢＣＨを位置させる方法がある。この場合に、ＢＣＨが固定された位置で常に送信されるので、個別の位置情報を送信する必要がない。そのようなフレーム構成は、図３Ａ及び図３Ｂに示される。
【００３１】
上述したように、モバイルワイマックスプロフィールの８．７５ＭＨｚ帯域幅を有するシステムにおいて、ダウンリンクサブフレームとアップリンクサブフレームとの間の比率は、１シンボルの単位でＤＬ：ＵＬ＝３０：１２〜２４：１８まで変更可能である。したがって、２番目のＢＣＨ決定方法は、ＤＬ：ＵＬ＝２４：１８の比率を有するフレーム構成に基づいて、２４番目のシンボルにＢＣＨを位置させる方法である。例えば、ＤＬ：ＵＬ＝３０：１２の比率を有するフレーム構成でも、ＢＣＨは、２４番目のシンボルに位置し、ＤＬ：ＵＬ＝２４：１８の比率を有するフレーム構成でも、ＢＣＨは、２４番目のシンボル、すなわち、最後のシンボルに位置する。ＢＣＨは、レガシー通信システムのためのダウンリンクサブフレームに位置することもできる。２４番目のシンボルに位置したＢＣＨは、次のフレームでの進化した通信システムのための共通制御情報を含む。
【００３２】
上述したような３番目のＢＣＨ決定方法を使用すると、ダウンリンクサブフレームとアップリンクサブフレームとの間の比率変更、及びレガシー通信システムと進化した通信システムとの間の比率変更を容易にすることができる。また、進化した通信システムを使用する移動局は、レガシーＭＡＰをデコーディングする必要がない。また、進化した通信システムだけのためのフレーム構成は、レガシーＦＣＨ及びレガシーＭＡＰを含む必要がない。一方、図３ＢのＦＤＭ基盤のフレーム構成でのＢＣＨは、２４番目のシンボルから先行する所定のシンボルまでの位置と、所定の周波数リソースと、を有することができる。
【００３３】
図４は、本発明の実施形態による進化した通信システムだけのためのフレーム構成を示す図である。
【００３４】
図４を参照すると、ＢＣＨがフレームでプリアンブル後の１番目のシンボルに位置していることがわかる。
【００３５】
図５Ａ及び図５Ｂは、本発明の実施形態による進化した通信システムだけのためのフレーム構成を示す図である。
【００３６】
図５Ａ及び図５Ｂを参照すると、ＢＣＨがフレームで最後のシンボルに位置することがわかる。この場合に、ＦＣＨは、ＢＣＨの位置情報を含まなければならない。
【００３７】
図６Ａ及び図６Ｂは、本発明の実施形態による進化した通信システムだけのためのフレーム構成を示す図である。
【００３８】
図６Ａを参照すると、ＢＣＨがフレーム内の特定のシンボルに位置することがわかる。かかる特定のシンボルは、例えば、２４番目のシンボルであることができる。
【００３９】
図６Ｂを参照すると、ＢＣＨは、２つのスロットにわたって位置する。かかるＢＣＨは、少なくとも１つのシンボル領域を占有することができる。
【００４０】
図７は、本発明の実施形態による進化したシステムの移動局がリソース割当情報をデコーディングする過程を示すフローチャートである。
【００４１】
図７を参照すると、ステップＳ７０２で、移動局は、プリアンブルを用いて同期を取得する。次のステップＳ７０４で、移動局は、フレーム情報、すなわちＦＣＨをデコーディングし、その後、ステップＳ７０６に移行する。このフレーム情報は、送信方式に従って、ＦＣＨの予約ビットを用いて、対応するフレームがレガシー通信システムだけのためのフレームであるか、共存システムのためのフレームであるか、又は進化した通信システムだけのためのフレームであるかを示す情報と、ＢＣＨを含むフレームにおける当該ＢＣＨの位置及びサイズ情報と、のうちの少なくとも１つを含む。また、フレーム情報は、固有の（unique）プリアンブルを使用して移動局に提供されることができる。すなわち、移動局は、受信されたプリアンブルに対応するフレーム構成がわかる。ステップＳ７０６で、移動局は、対応するフレームがレガシー通信システムだけのためのフレームであるか否かを判定する。対応するフレームがレガシー通信システムだけのためのフレームであると判定された場合に、移動局は、ステップＳ７０８に移行し、そうでない場合には、ステップＳ７１０に移行する。ステップＳ７０８で、移動局は、レガシーＭＡＰをデコーディングし、その後、ステップＳ７２０に移行する。
【００４２】
一方、ステップＳ７１０で、移動局は、対応するフレームが共存システムのためのフレームであるか否かを判定する。この判定の結果、対応するフレームが共存システムでない進化した通信システムだけのためのフレームである場合に、移動局は、ステップＳ７１２に移行し、対応するフレームが共存システムのためのフレームである場合に、移動局は、ステップＳ７１６に移行する。
【００４３】
ステップＳ７１２で、システムによりプリセットされたＢＣＨの位置及びサイズを予め認識している移動局は、ＢＣＨをデコーディングする。続くステップＳ７１４で、移動局は、進化した通信システムだけのための新（new）ＭＡＰをデコーディングし、その後、ステップＳ７２０に移行する。
【００４４】
ステップＳ７１６で、移動局は、レガシーＭＡＰをデコーディングし、ＧＣＩＤに対応するＢＣＨの存在を確認する。続くステップＳ７１８で、移動局は、かかるＢＣＨをデコーディングし、その後、ステップＳ７２０に移行する。
【００４５】
ステップＳ７２０で、移動局は、自身（自機）のために割り当てられたリソースが存在するか否かを判定する。この判定の結果、割り当てられたリソースが存在する場合には、移動局は、ステップＳ７２２で、当該割り当てられたリソースをデコーディングする。一方、割り当てられたリソースが存在しない場合には、移動局は、ステップＳ７２２のデコーディングを行うことなく処理を終了する。
【００４６】
図８は、本発明の他の実施形態による移動局が割当リソースをデコーディングする過程を示すフローチャートである。
【００４７】
図８を参照すると、ステップＳ８０２で、移動局は、プリアンブルを用いて同期を取得する。次のステップＳ８０４で、移動局は、フレーム情報を取得し、その後、ステップＳ８０６に移行する。かかるフレーム情報は、ＦＣＨ又はプリアンブルパターンを用いて取得されることができる。また、フレーム情報は、フレームのアップリンクサブフレームに対するダウンリンクサブフレームの比率情報と、ＢＣＨの位置及びサイズ情報と、のうちの少なくとも１つを含む。
【００４８】
ステップＳ８０６で、移動局は、対応するフレームがレガシー通信システムだけのためのフレームであるか否かを判定する。この判定の結果、対応するフレームがレガシー通信システムだけのためのフレームである場合には、移動局は、ステップＳ８０８に移行してレガシーＭＡＰをデコーディングし、その後、ステップＳ８１８に移行する。
【００４９】
他方、対応するフレームがレガシー通信システムのためのフレームではない場合には、移動局は、ステップＳ８１０で、対応するフレームが共存システムのためのフレームであるか否かを判定する。この判定の結果、対応するフレームが共存システムのためのフレームでない進化した通信システムだけのためのフレームである場合に、移動局は、ステップＳ８１２に移行し、対応するフレームが共存システムのためのフレームである場合に、移動局は、ステップＳ８１４に移行する。
【００５０】
ステップＳ８１２で、移動局は、所定の位置及びサイズを有するＢＣＨをデコーディングし、その後、ステップＳ８１８に移行する。例えば、ＢＣＨは、プリアンブルの後の１番目のシンボルに位置することができる。
【００５１】
ステップＳ８１４で、移動局は、ＦＣＨデコーディングにより認識されたＤＬ：ＵＬ比率情報を取得する。ステップＳ８１６で、移動局は、ダウンリンクサブフレーム（ＤＬ）の最後のシンボルに位置したＢＣＨをデコーディングし、その後、ステップＳ８１８に移行する。例えば、最後のシンボルは、ＤＬ：ＵＬ＝３０：１２の比率を有するフレームである場合には、３０番目のシンボルを意味する。
【００５２】
ステップＳ８１８で、移動局は、自身（自機）に割り当てられたリソースが存在するか否かを判定する。この判定の結果、割り当てられたリソースが存在する場合には、移動局は、ステップＳ８２０で、対応するリソースをデコーディングする。一方、割り当てられたリソースが存在しない場合には、移動局は、ステップＳ８２０のデコーディングを行うことなく処理を終了する。
【００５３】
図９は、本発明のさらに他の実施形態による移動局の、ＢＣＨデコーディングの成功／失敗に従って動作する過程を示すフローチャートである。
【００５４】
図９を参照すると、ステップＳ９０２で、移動局は、プリアンブルを用いて同期を取得する。次のステップＳ９０４で、移動局は、所定のシンボルに位置したＢＣＨをデコーディングし、その後、ステップＳ９０６に移行する。ここで、ＢＣＨは、プリアンブルの後の１番目のシンボル、ダウンリンクサブフレーム領域の最後のシンボル、及び特定のシンボルのうちのいずれか１つに位置することができる。ステップＳ９０６で、移動局は、ＢＣＨのデコーディングに成功したか否かを判定する。移動局がＢＣＨのデコーディングに成功した場合には、ステップＳ９０８で、移動局は、進化した通信システムのための新ＭＡＰをデコーディングし、その後、ステップＳ９１４に移行する。
【００５５】
他方、移動局がＢＣＨのデコーディングに失敗した場合には、ステップＳ９１０で、移動局は、ＦＣＨをデコーディングする。ステップＳ９１２で、移動局は、レガシーＭＡＰをデコーディングし、その後、ステップＳ９１４に移行する。
【００５６】
ステップＳ９０８及び／又はステップＳ９１２を遂行した結果、移動局は、自身に割り当てられたリソースが存在するか否か、及び、割り当てられたリソースの位置及びサイズを確認することができる。したがって、ステップＳ９１４で、移動局は、自身（自機）に割り当てられたリソースが存在するか否かを判定する。当該割り当てられたリソースが存在する場合には、ステップＳ９１６で、移動局は、対応するリソースをデコーディングする。一方、割り当てられたリソースが存在しない場合には、移動局は、ステップＳ９１４のデコーディングを行うことなく処理を終了する。
【００５７】
以上、本発明を具体的な実施形態を参照して詳細に説明したが、本発明の範囲及び精神を逸脱することなく様々な変形が可能であるということは、当該技術分野における通常の知識を持つ者には明らかである。したがって、本発明の範囲は、上述の実施形態に限定されるべきではなく、特許請求の範囲の記載及びこれと均等なものの範囲内で定められるべきである。
【図面の簡単な説明】
【００５８】
【図１Ａ】時分割多重化（ＴＤＭ）基盤のフレーム構成を示す図である。
【図１Ｂ】周波数分割多重化（ＦＤＭ）基盤のフレーム構成を示す図である。
【図２】本発明の実施形態による共存システムのために新たに提案されるＢＣＨが含まれたフレーム構成を示す図である。
【図３Ａ】本発明の実施形態による特定のシンボルにＢＣＨが位置したフレーム構成を示す図である。
【図３Ｂ】本発明の実施形態による特定のシンボルにＢＣＨが位置したフレーム構成を示す図である。
【図４】本発明の実施形態による進化した通信システムのみのためのフレーム構成を示す図である。
【図５Ａ】本発明の実施形態による進化した通信システムだけのためのフレーム構成を示す図である。
【図５Ｂ】本発明の実施形態による進化した通信システムだけのためのフレーム構成を示す図である。
【図６Ａ】本発明の実施形態による進化した通信システムだけのためのフレーム構成を示す図である。
【図６Ｂ】本発明の実施形態による進化した通信システムだけのためのフレーム構成を示す図である。
【図７】本発明の実施形態による進化したシステムの移動局によりリソース割当情報をデコーディングする過程を示すフローチャートである。
【図８】本発明の他の実施形態による移動局が割当リソースをデコーディングする過程を示すフローチャートである。
【図９】本発明のさらに他の実施形態による移動局の、ＢＣＨデコーディングの成功／失敗に従って動作する過程を示すフローチャートである。
【図１Ａ】
2008289152.tif 000004
【図１Ｂ】
2008289152.tif 000005
【図２】
2008289152.tif 000006
【図３Ａ】
2008289152.tif 000007
【図３Ｂ】
2008289152.tif 000008
【図４】
2008289152.tif 000009
【図５Ａ】
2008289152.tif 000010
【図５Ｂ】
2008289152.tif 000011
【図６Ａ】
2008289152.tif 000012
【図６Ｂ】
2008289152.tif 000013
【図７】
2008289152.tif 000014
【図８】
2008289152.tif 000015
【図９】
2008289152.tif 000016